(57)【要約】  【課題】  アプライアンス端末の設定時の問題を解決し、必要な設定項目を簡単に設定できるようにする。  【解決手段】  設定対象となるアプライアンス端末１は、一般的なアプライアンス端末が有するユーザに対して情報を表示する表示手段９と、ユーザから選択、決定、キャンセル、情報の入力などの操作が可能な入力手段６と、機器に対する設定項目と設定可能なパラメータの種別と実際に設定されているパラメータを記憶する設定記憶手段７とに加えて、機器自らの機種やバージョン情報を記憶する機器情報記憶手段８と、ＲＦＩＤやバーコードなどの外部に記録された情報を読み取る読み取り手段３と、読み取ったＩＤ情報を記憶するＩＤ記憶手段５と、各種情報の処理を実施する処理装置４から構成されている。  【選択図】  図１
2005327058.tif 000002
【特許請求の範囲】
【請求項１】
アプライアンス端末の設定に関する情報が記載されたドキュメントに、ドキュメント内の各設定内容に対応するＩＤ情報が添付されており、端末が、上記ＩＤ情報を読み取るステップと、
読み取ったＩＤ情報から、ＩＤ情報に対応する設定の設定項目、パラメータを判別するステップと、
判別した内容を設定するステップと、
を有することを特徴とするアプライアンス機器の自動設定方法。
【請求項２】
読み取ったＩＤ情報から、ＩＤ情報に対応する設定の設定項目、パラメータを判別するステップを、アプライアンス端末から接続可能な、ネットワーク上のドキュメント内の各設定内容に対応するＩＤ情報と、ＩＤ情報に対応する設定内容を記載したデータベースを利用して行うことを特徴とする請求項１に記載のアプライアンス機器の自動設定方法。
【請求項３】
読み取ったＩＤ情報から、ＩＤ情報に対応する設定の設定項目、パラメータを判別するステップを、アプライアンス端末内に搭載された、ネットワーク上のドキュメント内の各設定内容に対応するＩＤ情報と、ＩＤ情報に対応する設定内容を記載したデータベースを利用して行うことを特徴とする請求項１に記載のアプライアンス機器の自動設定方法。
【請求項４】
アプライアンス端末の設定に関する情報が記載されたドキュメントに、ドキュメント内の各設定内容に対応するＩＤ情報が添付されており、アプライアンス端末が、上記ＩＤ情報を読み取る読取手段と、
読み取ったＩＤ情報から、ＩＤ情報に対応する設定の設定項目、パラメータを判別する判別手段と、
判別した内容を設定する設定手段と、
を有することを特徴とするアプライアンス機器の自動設定装置。
【請求項５】
読み取ったＩＤ情報から、ＩＤ情報に対応する設定の設定項目、パラメータを判別する判別手段を、アプライアンス端末から接続可能なネットワーク上のドキュメント内の各設定内容に対応するＩＤ情報と、ＩＤ情報に対応する設定内容を記載したデータベースを利用して行うことを特徴とする請求項４に記載のアプライアンス機器の自動設定装置。
【請求項６】
読み取ったＩＤ情報から、ＩＤ情報に対応する設定の設定項目、パラメータを判別する判別手段を、アプライアンス端末内に搭載されたネットワーク上のドキュメント内の各設定内容に対応するＩＤ情報と、ＩＤ情報に対応する設定内容を記載したデータベースを利用して行うことを特徴とする請求項４に記載のアプライアンス機器の自動設定装置。
【請求項７】
請求項１乃至３のいずれかに記載のアプライアンス機器の自動設定方法におけるステップを、コンピュータに実行させるためのプログラムとしたことを特徴とするアプライアンス機器の自動設定プログラム。
【発明の詳細な説明】
【技術分野】
【０００１】
本発明は、アプライアンス機器の自動設定方法及びその装置並びにアプライアンス機器の自動設定プログラムに関するものである。
【背景技術】
【０００２】
従来、アプライアンス端末（特定用途端末）の設定は、端末の数少ないキーや、必要最低限の表示装置といった貧弱なユーザインターフェースで行うか、端末に専用のソフトウェアをインストールしたパーソナルコンピュータに接続して、パーソナルコンピュータ上で行うのが一般的であるが、アプライアンス端末の設定は、その多機能化にともない設定項目が増え、必要最低限の表示機能とアプライアンス端末の貧弱なユーザインターフェースで複雑に階層化された設定項目の中から目的とする設定を見つけ出し、パラメータを入力するのはわずらわしい。また、設定のためにわざわざパーソナルコンピュータに設定用ソフトウェアをインストールするのも面倒である。
【０００３】
このような問題を解決する手段としては、通話端末利用環境設定方法および装置（特許文献１参照）がある。
【０００４】
上記文献は、外付けの設定専用のハードウェアを用意し、他の機器にも同じような利用環境設定が必要な場合には、その端末に残された設定情報を再利用するというものである。この文献では、設定専用のハードウェアを用意するので、インターフェースは端末そのものより使いやすくすることができ、また、設定を再利用することができるので、同じような設定を施したい機器が複数ある場合に便利である。
【特許文献１】特開２０００−２０１２３４号公報
【発明の開示】
【発明が解決しようとする課題】
【０００５】
しかしながら、上記特許文献１でも、依然、階層化された多数存在する項目から目当ての設定項目を探すわずらわしさは解消されない。この問題は、端末が多機能化するにつれ設定できる項目が増えることで、さらに大きな問題となる。
【０００６】
本発明の目的は、このようなアプライアンス端末の設定時の問題を解決し、必要な設定項目を簡単に設定できるようにすることである。
【課題を解決するための手段】
【０００７】
上記の課題を達成するために、本発明は、アプライアンス端末の設定に関する情報が記載されたドキュメントに、ドキュメント内の各設定内容に対応するＩＤ情報が添付されており、端末が、上記ＩＤ情報を読み取るステップと、読み取ったＩＤ情報から、ＩＤ情報に対応する設定の設定項目、パラメータを判別するステップと、判別した内容を設定するステップと、を有することを特徴とする。
【０００８】
また、本発明は、読み取ったＩＤ情報から、ＩＤ情報に対応する設定の設定項目、パラメータを判別するステップを、アプライアンス端末から接続可能な、ネットワーク上のドキュメント内の各設定内容に対応するＩＤ情報と、ＩＤ情報に対応する設定内容を記載したデータベースを利用して行うことを特徴とする。
【０００９】
また、本発明は、読み取ったＩＤ情報から、ＩＤ情報に対応する設定の設定項目、パラメータを判別するステップを、アプライアンス端末内に搭載された、ネットワーク上のドキュメント内の各設定内容に対応するＩＤ情報と、ＩＤ情報に対応する設定内容を記載したデータベースを利用して行うことを特徴とする。
【００１０】
また、本発明は、アプライアンス端末の設定に関する情報が記載されたドキュメントに、ドキュメント内の各設定内容に対応するＩＤ情報が添付されており、アプライアンス端末が、上記ＩＤ情報を読み取る読取手段と、読み取ったＩＤ情報から、ＩＤ情報に対応する設定の設定項目、パラメータを判別する判別手段と、判別した内容を設定する設定手段と、を有することを特徴とする。
【００１１】
また、本発明は、読み取ったＩＤ情報から、ＩＤ情報に対応する設定の設定項目、パラメータを判別する判別手段を、アプライアンス端末から接続可能なネットワーク上のドキュメント内の各設定内容に対応するＩＤ情報と、ＩＤ情報に対応する設定内容を記載したデータベースを利用して行うことを特徴とする。
【００１２】
また、本発明は、読み取ったＩＤ情報から、ＩＤ情報に対応する設定の設定項目、パラメータを判別する判別手段を、アプライアンス端末内に搭載されたネットワーク上のドキュメント内の各設定内容に対応するＩＤ情報と、ＩＤ情報に対応する設定内容を記載したデータベースを利用して行うことを特徴とする。
【００１３】
さらに、本発明は、アプライアンス機器の自動設定方法におけるステップを、コンピュータに実行させるためのプログラムとしたことを特徴とする。
【００１４】
上記のように、本発明では、アプライアンス端末の設定内容ごとにユニークなＩＤを割り当てる。ＩＤに対応する設定内容を判断する手段を端末自身か、ネットワーク上のサーバなどに設ける。マニュアルには、設定内容の記載部に該当ＩＤをバーコードに記載するＲＦＩＤタグを埋め込むなどの判読可能な形で添付し、設定対象の端末または設定対象の端末と接続可能なネットワーク上に接続されたバーコードリーダ、ＲＦＩＤリーダなどの前述のＩＤを読み取ることのできる読取手段を用いて、そのＩＤを読み取り、前述のＩＤに対応する設定内容を判断する手段を用いて該当設定内容を認識し、自動的に端末上で設定を行うことができるようにする。
【発明の効果】
【００１５】
以上述べたように、本発明によれば、貧弱な表示装置と入力手段しか持たないアプライアンス端末に対して、設定マニュアルの設定したい項目に読取装置をかざすだけで簡単に設定を行うという、簡単な設定手段を提供することができる。
【発明を実施するための最良の形態】
【００１６】
以下本発明の実施の形態を図面に基づいて説明する。図１は、本発明の実施の形態を示すアプライアンス機器の自動設定方法及びその装置を実現するアプライアンス端末の構成図である。
【００１７】
図１に示す本発明の実施の形態において、設定対象となるアプライアンス端末１には、一般的なアプライアンス端末が有するユーザに対して情報を表示する表示手段９と、ユーザから、選択、決定、キャンセル、情報の入力などの操作が可能な入力手段６と、機器に対する設定項目と設定可能なパラメータの種別と、実際に設定されているパラメータを記憶する設定記憶手段７に加えて、機器自らの機種、バージョン情報を記憶する機器情報記憶手段８と、ＲＦＩＤやバーコードなどの外部に記録された情報を読み取る読み取り手段３と、読み取ったＩＤ情報を記憶するＩＤ記憶手段５と、各種情報の処理を実施する処理装置４を備えている。
【００１８】
また、アプライアンス端末の設定マニュアル２には、図２に示すように、従来の設定マニュアルのような各種設定に関する説明や設定方法のドキュメントに加えて、各種設定ごとにＲＦＩＤタグや、バーコードなどの読み取り可能な手段で設定ＩＤ１０が添付されている。
【００１９】
この設定ＩＤ１０からは、マニュアルの設定対象の機器情報、設定ＩＤ１０に対応する設定が機器のどの設定に対して行われるべきかを判別できる設定項目の情報、その設定に対してどのような値を指定するべきかを示すパラメータ情報が判別できる情報が記載されており、読み取り手段３で読み取ることが可能である。
【００２０】
図３は本発明の実施形態の動作を述べるフローチャートを示すもので、まず、ユーザは、設定マニュアル２をみて、アプライアンス端末１に行いたい設定を選択する。ここで、ユーザは、読み取り手段３を用いて、設定マニュアル２に添付されている、その設定に対応する設定ＩＤ１０をアプライアンス端末１に読み取らせる。
【００２１】
この設定ＩＤ１０には、設定対象の機器情報、設定ＩＤ１０に対応する設定が機器のどの設定に対して行われるべきかを判別できる設定箇所の情報、その設定に対してどのような値を指定するべきかを示すパラメータ情報が記録されている。アプライアンス端末１は、処理装置４を用いて、読み取った設定ＩＤ１０を、ＩＤ記憶手段５に記憶する（Ｓ１）。
【００２２】
次に、アプライアンス端末１内では、処理装置４を用いて、記憶された設定ＩＤ１０のうち、設定対象の機器情報を参照し、機器情報記憶手段８に記録されている機器情報を比較する（Ｓ２）。
【００２３】
ここで、情報が一致しているかを判断し（Ｓ３）、その情報が一致しなければ（ＮＯ）、設定マニュアル２の設定項目はアプライアンス端末１の機種に対応した設定ではないと判断し、設定マニュアル２がアプライアンス端末１に対応したものではない旨を表示手段９に表示し（Ｓ４）、処理を終了する。
【００２４】
ステップSで、情報が一致したならば（ＹＥＳ）、次に処理装置４は、設定記憶手段７に記憶されている、機器に対する設定項目から、ＩＤ記憶手段５に記憶されている、設定ＩＤ１０の設定項目の情報に一致するものを検索する（Ｓ５）。
【００２５】
ここで、該当する設定項目が存在するかを判断し（Ｓ６）、一致する項目が存在しない場合には（ＮＯ）、表示手段９に該当する設定項目が存在しない旨を表示して（Ｓ７）、処理を終了する。
【００２６】
ステップS６で、一致する項目があれば（ＹＥＳ）、設定項目が確定されるので、続いて処理装置４は、設定記憶手段７に記憶されている、該当設定の設定可能なパラメータの種別から、ＩＤ記憶手段５に記憶された設定ＩＤ１０のパラメータ部分に記載されたパラメータが、設定可能であるかどうかを判断する（Ｓ８），（Ｓ９）。
【００２７】
ステップS９で、設定不可能と判断された場合には（ＮＯ）、表示手段９に設定が不可能である旨を表示し（Ｓ１０）、処理を終了する。
【００２８】
こうして、読み取った設定ＩＤ１０から、設定すべき項目とパラメータが確定されるので、処理装置４は、設定記憶手段５の該当する項目に、該当するパラメータの設定を行うことができる。
【００２９】
ここで、アプライアンス端末１は、表示手段９に設定内容と、このパラメータで設定を行って良いかをユーザに確認するメッセージを表示し、入力手段６を用いたユーザの決定の入力を待つ（Ｓ１１）。
【００３０】
ユーザが入力手段６を用いて、設定可否選択を判断する（Ｓ１２）。ステップS１２で、設定を可と判断すれば実際に設定を実施し、設定が終了した旨を表示手段９に表示する（Ｓ１３）。
【００３１】
ステップS１２で、設定を否と判断すれば、設定を行わず、表示手段９に設定を行わなかった旨を表示し（Ｓ１４）、それぞれ処理を終了する。
【００３２】
なお、今回は設定ＩＤ１０に直接、対応する設定が機器のどの設定に対して行われるべきかを判別できる設定項目の情報、その設定に対してどのような値を指定するべきかを示すパラメータ情報が記載されていたが、設定ＩＤ１０は単なるユニークな文字列にして、ネットワーク上、あるいはアプライアンス機器内のアプライアンス端末１の処理装置４から接続可能なデータベース上に、これらの情報とそれぞれの設定ごとの設定ＩＤ１０を対応付けて登録しておき、処理装置４からこれらのマッチングを行って、必要な情報をＩＤ記憶手段５に記憶させる形にしてもよい。
【００３３】
上述した、図１で示した各機能実現手段や装置をコンピュータのプログラムで構成したり、あるいは図３に示したフローチャートの処理ステップをコンピュータのプログラムで構成したりして、そのプログラムをコンピュータに実行させることができることは言うまでもなく、コンピュータでその機能を実現するためのプログラム、あるいは、コンピュータでその処理ステップを実行させるためのプログラムを、そのコンピュータが読み取りできる記録媒体、例えば、フレキシブルディスクや、ＣＤ，ＤＶＤ，ＭＯ，ＲＯＭ、メモリカード、リムーバブルディスクなどに記録して、保存したり、配布したりすることが可能である。
【００３４】
また、上記のプログラムをインターネットや電子メールなど、ネットワークを通して提供することも可能である。これらの記録媒体からコンピュータに前記のプログラムをインストールすることにより、あるいはネットワークからダウンロードしてコンピュータに前記のプログラムをインストールすることにより、本発明を実施することが可能となる。
【図面の簡単な説明】
【００３５】
【図１】本発明の実施の形態を示すアプライアンス端末の構成図である。
【図２】実施の形態で使用する設定ＩＤの説明図である。
【図３】実施の形態の動作を述べるフローチャートである。
【符号の説明】
【００３６】
１…アプライアンス端末
２…設定マニュアル
３…読み取り手段
４…処理装置
５…ＩＤ記憶手段
６…入力手段
７…設定記憶手段
８…機器情報記憶手段
９…表示手段
１０…設定ＩＤ
【図１】
2005327058.tif 000003
【図２】
2005327058.tif 000004
【図３】
2005327058.tif 000005